(57)【要約】【課題】釣竿が大きく湾曲された場合であっても、釣糸が鋭角的に屈曲されるのを防止することができる釣糸ガイドを提供する。【解決手段】釣糸ガイド１５は、釣糸１９が挿通される複数のガイドリング３１〜３４と、釣糸１９の挿通方向に離間した位置において複数のガイドリング３１〜３４を支持するガイドフレーム２０とを備える。【選択図】図３
2015133927.tif 000002
【特許請求の範囲】
【請求項１】
釣糸が挿通される複数のガイドリングと、
釣糸の挿通方向に離間した位置において複数の前記ガイドリングを支持するガイドフレームと、を備える釣糸ガイド。
【請求項２】
前記ガイドフレームは、
複数の前記ガイドリングそれぞれを前記挿通方向に沿う所定の位置に位置決めする複数の支持部と、
複数の前記支持部のうちの前記挿通方向の両端に配置された前記支持部に設けられており、当該ガイドフレームを釣竿に取り付ける取付部と、を有する請求項１に記載の釣糸ガイド。
【請求項３】
釣竿の穂先側に取り付けられる前記取付部が設けられた前記支持部は、釣竿の径方向に対して、前記取付部の位置を基点として釣竿の基端側に近づく向きに傾斜している請求項２に記載の釣糸ガイド。
【請求項４】
前記取付部が設けられた前記支持部によって支持される前記ガイドリングの内径寸法は、他の前記ガイドリングより大きい請求項２又は３に記載の釣糸ガイド。
【請求項５】
釣竿本体と、
前記釣竿本体に取り付けられた請求項１から４のいずれかに記載の釣糸ガイドと、を備える釣竿。
【発明の詳細な説明】
【技術分野】
【０００１】
この発明は、いわゆるアウターガイドロッドに採用される釣糸ガイドの構造に関するものである。
【背景技術】
【０００２】
いわゆるアウターガイドロッドは、リールシートが設けられた釣竿本体と、釣糸を支持する複数の釣糸ガイドとを備えている。釣用リールがリールシートに装着され、釣用リールから繰り出された釣糸が各釣糸ガイドにより支持され、釣竿本体に沿って配置される。
【０００３】
図１０は、魚がヒットした状態の釣竿の状態を示している。
【０００４】
同図が示すように、魚が釣糸１を引っ張ることによって、各釣糸ガイド２に矢印５の方向に外力Ｆｎが加わる結果、釣竿３に曲げモーメントが作用して釣竿本体４が湾曲する。魚が釣糸１を引く力Ｔは、各釣糸ガイド２に作用する外力Ｆｎの釣糸１に沿う方向の分力の合計と釣り合う。したがって、釣糸ガイド２の数が多いほど各釣糸ガイド２に作用する外力Ｆｎは小さくなる。
【先行技術文献】
【特許文献】
【０００５】
【特許文献１】特開２００４−１２９５５５号公報
【特許文献２】特開２００４−８１０４０号公報
【発明の概要】
【発明が解決しようとする課題】
【０００６】
図１１は、釣糸ガイド及び釣糸に作用する力を模式的に示す図である。
【０００７】
同図が示すように、釣糸１が引っ張られて釣竿本体４が湾曲すると、釣糸１は、釣糸ガイド２を屈曲点として屈れ曲がる。釣竿本体４の湾曲が大きくなるほど屈曲角度θが小さくなり、釣糸１は、釣糸ガイド２に強く押し付けられて大きいダメージを受ける。
【０００８】
この問題を回避するためには、釣糸ガイド２の数を増やせば良いが、これでは釣竿の製造コストが大幅に増大するという新たな問題が生じる。
【０００９】
本発明はかかる背景のもとになされたものであって、その目的は、釣竿が大きく湾曲された場合であっても、釣糸が鋭角的に屈曲されるのを防止することができる釣糸ガイドを提供することである。
【課題を解決するための手段】
【００１０】
(1)  本発明に係る釣糸ガイドは、釣糸が挿通される複数のガイドリングと、釣糸の挿通方向に離間した位置において複数の前記ガイドリングを支持するガイドフレームとを備える。
【００１１】
上記構成によれば、単一のガイドフレームに支持された複数のガイドリングによって釣糸が支持されるので、各ガイドリングに当接する釣糸の屈曲角度が大きくなる。その結果、魚がヒットした時等に釣糸に加わるダメージを低減することができる。なお、本明細書中における「釣糸の挿通方向」とは、例えば、釣糸ガイドに挿通された釣糸の自然状態（魚がヒットしていない状態）における方向を指す。また、この挿通方向は、自然状態の釣竿の軸方向に概ね一致する。
【００１２】
(2)  好ましくは、前記ガイドフレームは、複数の前記ガイドリングそれぞれを前記挿通方向に沿う所定の位置に位置決めする複数の支持部と、複数の前記支持部のうちの前記挿通方向の両端に配置された前記支持部に設けられており、当該ガイドフレームを釣竿に取り付ける取付部とを有する。
【００１３】
上記構成のように、釣糸ガイドの両端が釣竿に支持されることにより、釣糸ガイドの姿勢が安定する。その結果、リールから螺旋状に繰り出された釣糸が釣糸ガイドをスムーズに通過することができる。
【００１４】
(3)  好ましくは、釣竿の穂先側に取り付けられる前記取付部が設けられた前記支持部は、釣竿の径方向に対して、前記取付部の位置を基点として釣竿の基端側に近づく向きに傾斜している。
【００１５】
上記構成のように、穂先側の支持部を基端側に傾けたことにより、例えばスピニングリールから繰り出された釣糸が当該支持部に引っ掛かることが抑制される。その結果、スピニングリールから螺旋状に繰り出された釣糸が釣糸ガイドをスムーズに通過することができる。但し、リールの種類はスピニングリールに限定されない。
【００１６】
(4)  好ましくは、前記取付部が設けられた前記支持部によって支持される前記ガイドリングの内径寸法は、他の前記ガイドリングより大きい。
【００１７】
上記構成のように、釣糸が最初に通過するガイドリングの内径寸法を他のガイドリングより大きくすることにより、釣糸が釣糸ガイドをさらにスムーズに通過することができる。なお、内径寸法の大きいガイドリングは、釣竿の最も基端側及び釣竿の最も穂先側の少なくとも一方に配置されればよい。
【００１８】
(5)  本発明に係る釣竿は、釣竿本体と、前記釣竿本体に取り付けられた上記のいずれかに記載の釣糸ガイドとを備える。
【発明の効果】
【００１９】
この発明によれば、各ガイドリングに当接する釣糸の屈曲角度が大きくなるので、魚がヒットした時等に釣糸に加わるダメージを低減することができる。
【図面の簡単な説明】
【００２０】
【図１】図１は、実施形態１に係る釣竿１０の模式図である。
【図２】図２は、実施形態１に係る釣糸ガイド１５の側面図である。
【図３】図３は、釣竿１０に取り付けられた釣糸ガイド１５の斜視図である。
【図４】図４は、実施形態２に係る釣糸ガイド１５Ａの側面図である。
【図５】図５は、釣竿１０に取り付けられた釣糸ガイド１５Ａの斜視図である。
【図６】図６は、実施形態３に係る釣糸ガイド１５Ｂの側面図である。
【図７】図７は、釣竿１０に取り付けられた釣糸ガイド１５Ｂの斜視図である。
【図８】図８は、実施形態４に係る釣糸ガイド１５Ｃの側面図である。
【図９】図９は、釣竿１０に取り付けられた釣糸ガイド１５Ｃの斜視図である。
【図１０】図１０は、魚がヒットした状態の釣竿３の状態を示している。
【図１１】図１１は、釣糸ガイド２及び釣糸１に作用する力を模式的に示す図である。
【発明を実施するための形態】
【００２１】
以下、本発明の好ましい実施形態が、適宜図面が参照されながら説明される。なお、本実施の形態は、本発明に係る釣竿の一態様にすぎず、本発明の要旨を変更しない範囲で実施態様が変更されてもよいことは言うまでもない。
【００２２】
［実施形態１］
図１は、本発明の実施形態１に係る釣竿１０の模式図である。図１は、魚がヒットした状態の釣竿１０を示している。釣竿１０は、図１に示されるように、複数の節１２、１３、１４と、複数の釣糸ガイド１５とを備える。釣竿１０は、例えば、炭素繊維強化プラスチックやガラス繊維強化プラスチック等で形成されている。釣竿１０は、例えば船釣りに使用される振出式のものである。但し、釣竿１０は、船釣り以外に使用されるものであってもよいし、振出式でなく継ぎ式であってもよい。
【００２３】
節１２〜１４は、釣竿１０を構成する細長棒状の部材である。節１２〜１４は、釣竿１０の先端側から順に第１番節１２、第２番節（図示せず）と呼ばれ、最も後端の節は、特に元節１４と呼ばれる。また、第１番節１２は、特に穂先竿とも呼ばれる。各節１２〜１４は筒状に形成されている。各節１２〜１４は、根元側から先端側に向かって徐々に外径が小さくなるテーパ形状をなしている。
【００２４】
本実施形態に係る釣糸ガイド１５は、第１番節１２以外の各節１３、１４に設けられている。但し、第１番節１２に釣糸ガイド１５が設けられていてもよいことは言うまでもない。各釣糸ガイド１５は、釣用リール１１から繰り出される釣糸１９が挿通される挿通孔（図１では不図示）を有する。各釣糸ガイド１５は、釣糸１９を釣竿１０の外周面に沿って長手方向に案内するためのものである。すなわち、図１に示された釣竿１０は、所謂アウターガイドタイプの釣竿である。
【００２５】
釣竿１０の先端部（すなわち、第１番節１２の先端部）は、穂先部４１と呼ばれる。穂先部４１は、釣竿１０のユーザが魚のアタリを釣竿１０の湾曲の変化で捉える際に、当該ユーザによって視認される部分である。穂先部４１は、例えば、金属色で塗装されていてもよい。具体的には、穂先部４１は、塗装された部材の表面を金属の質感に再現することができる所謂メタリックカラーの塗料で塗装されていてもよい。
【００２６】
釣竿１０の基端部（すなわち、元節１４の基端部）は、バット部４４と呼ばれる。バット部４４は、元節１４の一部である。バット部４４は、元節１４の基端近傍に設けられたリアグリップ４５と、リアグリップ４５よりも先端側に設けられたフロントグリップ４６と、リアグリップ４５及びフロントグリップ４６の間に設けられたリールシート４７とを備える。リアグリップ４５及びフロントグリップ４６は、ゴムなどの高摩擦係数の部材で形成されている。釣竿１０が使用される際、リアグリップ４５及びフロントグリップ４６の少なくとも一方が、釣竿１０のユーザによって把持される。
【００２７】
リールシート４７は、釣用リール１１を釣竿１０に保持するためのものである。リールシート４７は、元節１４を覆い且つ元節１４の長手方向に沿って摺動可能な可動フード４９と、可動フード４９よりも釣竿１０の基端側に設けられた固定フード４８と、可動フード４９の摺動をロックするロック部（不図示）とを備える。可動フード４９は、釣用リール１１に設けられた脚の一方側を保持する。固定フード４８は、釣用リール１１に設けられた脚の他方側を保持する。可動フード４９及び固定フード４８の双方が釣用リール１１の脚を保持した状態において、ロック部によって可動フード４９が摺動不可能な状態とされることにより、固定フード４８と可動フード４９とが協働して釣用リール１１をリールシート４７に位置決め固定する。
【００２８】
図２及び図３を参照して、実施形態１に係る釣糸ガイド１５を説明する。実施形態１に係る釣糸ガイド１５は、図２及び図３に示されるように、ガイドフレーム２０と、円環形状の複数のガイドリング３１、３２、３３、３４とを備える。また、釣糸ガイド１５は、図３に示されるように、保持部材３５、３６によって釣竿１０に固定される。
【００２９】
ガイドフレーム２０は、各々がガイドリング３１〜３４を支持する複数の支持部２１、２２、２３、２４と、支持部２１〜２４同士を接続する複数の接続部２５、２６、２７と、釣竿１０に取り付けられる一対の取付部２８、２９とを備える。ガイドフレーム２０は、例えば、金属材料（典型的には、チタン合金）によって一体成形されている。
【００３０】
支持部２１〜２４は、円環形状であって、内周部に嵌め込まれたガイドリング３１〜３４を支持する。すなわち、支持部２１〜２４の内径寸法は、対応するガイドリング３１〜３４の外径寸法と概ね一致する。実施形態１において、支持部２１、２４の内径寸法は、支持部２２、２３の内径寸法より大きい。また、支持部２１〜２４は、釣糸１９の挿通方向に離間して設けられている。すなわち、支持部２１〜２４は、釣糸１９の挿通方向に沿う所定の位置に各ガイドリング３１〜３４を位置決めする。
【００３１】
支持部２１、２４は、釣竿１０の径方向に対して傾いている。具体的には、釣竿１０の最も穂先側に位置する支持部２１は、取付部２８の位置を基点として釣竿１０の基端側に傾いている。また、釣竿１０の最も基端側に位置する支持部２４は、取付部２９の位置を基点として釣竿１０の穂先側に傾いている。すなわち、支持部２１、２４は、それぞれ取付部２８、２９の位置を基点として互いに近づく向きに傾いている。一方、支持部２２、２３は、釣竿１０の径方向に沿って形成されている。すなわち、円環形状の支持部２２、２３の径方向は、概ね平行であり且つ釣竿１０の径方向と概ね一致する。
【００３２】
接続部２５〜２７は、隣接する支持部２１〜２４を相互に接続する。より具体的には、接続部２５は、釣竿１０から最も離れた位置で支持部２１、２２を接続する。すなわち、接続部２５は、支持部２１、２２が最も近接する位置で両者を接続する。接続部２６は、釣竿１０に最も近い位置で支持部２２、２３を接続する。接続部２７は、釣竿１０から最も離れた位置で支持部２３、２４を接続する。すなわち、接続部２７は、支持部２３、２４が最も近接する位置で両者を接続する。
【００３３】
取付部２８、２９は、釣糸１９の挿通方向に沿って支持部２１、２４から外向きに突出している。すなわち、取付部２８、２９は、ガイドフレーム２０の挿通方向の両端部に設けられている。釣竿１０に固定された保持部材３５、３６の取付孔３７、３８に取付部２８、２９が挿入されることにより、釣糸ガイド１５が釣竿１０に固定される。なお、本実施形態では、釣竿１０の穂先側の保持部材３５に取付部２８が取り付けられ、釣竿１０の基端側の保持部材３６に取付部２９が取り付けられる。但し、釣糸ガイド１５を釣竿１０に固定する方法は上記の例に限定されない。例えば、釣竿１０と取付部２８、２９とに糸を巻回することによって、固定してもよい。
【００３４】
ガイドリング３１〜３４は、例えば、シリコンカーバイト（ＳｉＣ）等で形成されされている。ガイドリング３１〜３４それぞれには、釣糸１９が挿通される。本実施形態において、釣糸１９の挿通方向において外側に配置されるガイドリング３１、３４の内径寸法は、釣糸１９の挿通方向において内側に配置されるガイドリング３２、３３の内径寸法より大きい。また、ガイドリング３１、３４は、図３に示されるように、ガイドリング３２、３３と釣糸１９との当接位置より釣竿１０から離れた位置において、釣糸１９に当接し得る。
【００３５】
［実施形態１の作用効果］
実施形態１に係る釣糸ガイド１５によれば、図３に示されるように、単一のガイドフレーム２０に支持された複数のガイドリング３１〜３４によって釣糸１９が支持されるので、各ガイドリング３１〜３４に当接する釣糸１９の屈曲角度が大きくなる。すなわち、釣糸１９が鋭角的に折れ曲がることがない。その結果、魚がヒットした時等に釣糸１９に加わるダメージを低減することができる。
【００３６】
また、支持部２１を釣竿１０の基端側に傾けたことにより、例えば釣用リール１１から繰り出された釣糸１９が支持部２１に引っ掛かることが抑制される。その結果、釣用リール１１から繰り出された釣糸１９が釣糸ガイド１５をスムーズに通過することができる。なお、上記の作用効果は、釣糸１９が螺旋状に繰り出されるスピニングリールを採用した場合に特に顕著となる。
【００３７】
さらに、釣竿１０の最も基端側に位置する（すなわち、釣用リール１１から繰り出された釣糸１９が最初に通過する）ガイドリング３４の内径寸法をガイドリング３２、３３等より大きくすることにより、釣用リール１１から繰り出された釣糸１９が釣糸ガイド１５をさらにスムーズに通過することができる。
【００３８】
なお、実施形態１では、図１に示されるように、基端側の２カ所に実施形態１に係る釣糸ガイド１５が取り付けられ、先端側の３カ所に従来の釣糸ガイドが取り付けられた釣竿１０の例を説明した。しかしながら、本発明はこれに限定されず、実施形態１に係る釣糸ガイド１５を全ての位置に取り付けてもよいし、実施形態１の釣糸ガイド１５と従来の釣糸ガイドとを任意の組み合わせで混在させてもよい。
【００３９】
また、実施形態１では、釣糸１９の挿通方向に離間した４つのガイドリング３１〜３４を単一のガイドフレーム２０で支持した例を説明した。しかしながら、ガイドリング３１〜３４の数はこれに限定されない。以下、図４〜図９を参照して、実施形態２〜４に係る釣糸ガイド１５Ａ〜１５Ｃの構成を説明する。なお、実施形態１と共通する点の詳しい説明は省略し、相違点を中心に説明する。
【００４０】
［実施形態２〜４］
図４及び図５は、実施形態２に係る釣糸ガイド１５Ａを示す図である。図４及び図５に示される釣糸ガイド１５Ａは、ガイドフレーム２０Ａと、ガイドリング３１〜３３とで構成されている。実施形態２に係るガイドフレーム２０Ａは、支持部２４及び接続部２７が省略され、取付部２９が支持部２３から突出されている点において、実施形態１に係るガイドフレーム２０と相違する。
【００４１】
図６及び図７は、実施形態３に係る釣糸ガイド１５Ｂを示す図である。図６及び図７に示される釣糸ガイド１５Ｂは、ガイドフレーム２０Ｂと、ガイドリング３１、３２とで構成されている。実施形態３に係るガイドフレーム２０Ｂは、支持部２３、２４及び接続部２６、２７が省略され、取付部２９が支持部２２から突出されている点において、実施形態１に係るガイドフレーム２０と相違する。
【００４２】
図８及び図９は、実施形態４に係る釣糸ガイド１５Ｃを示す図である。図８及び図９に示される釣糸ガイド１５Ｃは、ガイドフレーム２０Ｃと、ガイドリング３１、３４とで構成されている。実施形態４に係るガイドフレーム２０Ｃは、支持部２２、２３及び接続部２６、２７が省略され、支持部２１、２４が接続部２５によって接続されている点において、実施形態１に係るガイドフレーム２０と相違する。
【００４３】
上記の各構成によっても、各ガイドリング３１〜３４に当接する釣糸１９の屈曲角度を大きくすることができるので、魚がヒットした時等に釣糸１９に加わるダメージを低減することができる。
【符号の説明】
【００４４】
１０・・・釣竿
１５・・・釣糸ガイド
２０・・・ガイドフレーム
２１，２２，２３，２４・・・支持部
２８，２９・・・取付部
３１，３２，３３，３４・・・ガイドリング
【図１】
2015133927.tif 000003
【図２】
2015133927.tif 000004
【図３】
2015133927.tif 000005
【図４】
2015133927.tif 000006
【図５】
2015133927.tif 000007
【図６】
2015133927.tif 000008
【図７】
2015133927.tif 000009
【図８】
2015133927.tif 000010
【図９】
2015133927.tif 000011
【図１０】
2015133927.tif 000012
【図１１】
2015133927.tif 000013